(57)【要約】【課題】  マイクロホンカプセルと音声出力部とがマイクコードにて接続されているコンデンサマイクロホンにおいて、携帯電話機などから発生される強い電磁波がマイクコードを伝わって音声出力部内に入り込むのを防止する。【解決手段】  マイクロホンカプセル１０と、シールドケース２１０内に音声出力回路を含む回路基板２３を収納してなる音声出力部２０とをマイクコード３０にて接続してなるコンデンサマイクロホンにおいて、回路基板２３のうちのマイクコード３０と接続される端子部２３１をシールドケース２１０の外側に配置する。【選択図】  図１
2005323222.tif 000002
【特許請求の範囲】
【請求項１】
コンデンサマイクユニットおよびそのインピーダンス変換器を含むマイクロホンカプセルと、シールドケース内に音声出力回路を含む回路基板を収納してなる音声出力部と、上記マイクロホンカプセルと上記音声出力部との間に配線され、一端が上記インピーダンス変換器に接続され他端が上記回路基板の端子部に接続されたマイクコードとを備えているコンデンサマイクロホンにおいて、
上記回路基板のうちの上記マイクコードと接続される上記端子部のみが上記シールドケースの外側に引き出されていることを特徴とするコンデンサマイクロホン。
【請求項２】
上記シールドケースが、一端に出力コネクタを有し他端が上記端子部を引き出すためのスリット孔を有する端壁により閉じられた筒体からなり、上記シールドケースの他端側には上記マイクコードに対する抜け止め作用を備えるコードブッシュが装着されている請求項１に記載のコンデンサマイクロホン。
【発明の詳細な説明】
【技術分野】
【０００１】
本発明はマイクロホンカプセルと音声出力部とが専用のマイクコードにて接続されているコンデンサマイクロホンに関し、さらに詳しく言えば、携帯電話機などから発生される電磁波がマイクコードを伝わって音声出力部内に入り込むのを防止する技術に関するものである。
【背景技術】
【０００２】
コンデンサマイクロホンのうち会議用のグースネック型マイクロホンや衣服などに取り付けて使用されるタイピン型マイクロホンなどでは、図３に示すようにマイクロホンカプセル１０と音声出力部２０とが分離して構成され、それらは専用のマイクコード３０を介して接続される。
【０００３】
図示しないが、マイクロホンカプセル１０内には振動板と固定極とを含むコンデンサマイクユニットとそのインピーダンス変換器である例えばＦＥＴ（電界効果トランジスタ）とが収納されている。音声出力部２０は導電性材料（例えば黄銅合金）からなる筒状のシールドケース２１を備え、シールドケース２１内には出力コネクタ２２と回路基板２３とが収納されている。
【０００４】
コンデンサマイクロホンにおいては、通常、出力コネクタ２２にはＥＩＡＪ  ＲＣ５２３６「音響用ラッチロック式丸形コネクタ」に規定されている３ピンタイプの出力コネクタが用いられ、図示しないファントム電源用の平衡シールドケーブルを介してファントム電源に接続される。
【０００５】
また、図示しないが回路基板２３はトランスやローカットフィルタ回路それに増幅回路などを含む音声出力回路を備えている。マイクコード３０には２芯シールドケーブルが用いられ、その一端側が上記マイクロホンカプセル１０内のインピーダンス変換器に接続され、他端はシールドケース２１内に引き込まれて回路基板２３の所定の端子部（音声出力回路の端子部）にハンダ付けされる。
【０００６】
なお、マイクコード３０のシールドケース２１内に引き込まれる部分には抜け止め用の結び目３１が作られ、シールドケース２１のコード引き込み側には例えばゴム材からなるコードブッシュ２４が嵌合されてネジ止めされる。グースネック型マイクロホンの場合、マイクコード３０は図示しないフレキシブルシャフト内に挿通される。
【０００７】
ところで、マイクコード３０に用いられる２芯シールドケーブルは、電源をマイクロホンカプセル１０内のコンデンサマイクユニットに供給する電源線と、インピーダンス変換器から出力される音声信号を回路基板２３の音声出力回路に送信する信号線と、これら電源線および信号線を静電遮蔽し接地に落とされるシールド線とを含み、音声信号は不平衡で伝送されるため外部からの雑音に対して弱い（影響を受けやすい）。
【０００８】
そのうえ、上記従来例ではマイクコード３０の一部分がシールドケース２１内に引き込まれているため、マイクコード３０に強い電磁波が加えられると、その電磁波がシールドケース２１内に入り込み、これが原因で雑音が発生することがある。
【０００９】
近年、携帯電話機が急速に普及しているが、マイクロホン近傍で携帯電話機が使用された場合かなり強い電磁波（例えば、数ｃｍ〜数１０ｃｍ程度の範囲内では商用電波により市中で生じている電界強度の数万倍に達する電界強度）を受けるため、マイクロホンの分野では携帯電話機対策が急務とされている。
【００１０】
その一つの方法として、特許文献１にはマイクロホンユニットを導体からなる収納筒内に収納してなる例えばガンタイプのマイクロホンにおいて、マイクロホンユニットを最短距離で導体からなる収納筒に接続（接地）することが提案されている。
【００１１】
しかしながら、この方法はガンタイプなどのマイクロホンには有効であるものの、上記従来例のようにマイクロホンカプセルと音声出力部とが分離され、それらがマイクコードを介して接続されているマイクロホンには適用できない。
【００１２】
【特許文献１】特開２００１−１０３５９１号公報
【発明の開示】
【発明が解決しようとする課題】
【００１３】
したがって、本発明が解決しようとする課題は、マイクロホンカプセルと音声出力部とが専用のマイクコードにて接続されているコンデンサマイクロホンにおいて、携帯電話機などから発生される強い電磁波がマイクコードを伝わって音声出力部内に入り込むのを防止することにある。
【課題を解決するための手段】
【００１４】
上記課題を解決するため、本発明は、コンデンサマイクユニットおよびそのインピーダンス変換器を含むマイクロホンカプセルと、シールドケース内に音声出力回路を含む回路基板を収納してなる音声出力部と、上記マイクロホンカプセルと上記音声出力部との間に配線され、一端が上記インピーダンス変換器に接続され他端が上記回路基板の端子部に接続されたマイクコードとを備えているコンデンサマイクロホンにおいて、上記回路基板のうちの上記マイクコードと接続される上記端子部のみが上記シールドケースの外側に引き出されていることを特徴としている。
【００１５】
本発明において、上記シールドケースが、一端に出力コネクタを有し他端が上記端子部を引き出すためのスリット孔を有する端壁により閉じられた筒体からなり、上記シールドケースの他端側には上記マイクコードに対する抜け止め作用を備えるコードブッシュが装着されていることが好ましい。
【発明の効果】
【００１６】
本発明によれば、マイクコードが回路基板のシールドケースの外側に引き出されている端子部に接続されるため、マイクコードに加えられた強い電磁波はシールドケース内に入り込まずシールドケースの外表面に沿って流れる。したがって、たとえ携帯電話機が直近で使用されたとしてもその強い電磁波による雑音の発生が防止される。
【発明を実施するための最良の形態】
【００１７】
次に、図１および図２により本発明の実施形態について説明する。図１は本発明のコンデンサマイクロホンに含まれるマイクロホンカプセルと音声出力部とをマイクコードで接続した状態を示す模式図で、図１において音声出力部は分解断面図で示されている。図２は本発明の要部である音声出力部のみを示す断面図である。図１および図２において、先の図３により説明した従来例と同一もしくは同一と見なされてよい構成要素にはそれと同じ参照符号を用いている。
【００１８】
本発明のコンデンサマイクロホンは、マイクロホンカプセル１０と音声出力部２０とが分離して構成され、それらをマイクコード３０にて接続してなるマイクロホンで、例えばグースネック型マイクロホンやタイピン型マイクロホンとして使用される。
【００１９】
マイクロホンカプセル１０は振動板と固定極とを対向的に配置してなるコンデンサマイクユニットと、そのインピーダンス変換器（ともに図示しない）とを含む構成であってよい。コンデンサマイクユニットはエレクトレット型，非エレクトレット型のいずれでもよい。また、インピーダンス変換器にはＦＥＴが用いられてよい。
【００２０】
音声出力部２０は黄銅合金などの導電性金属材からなる筒状のシールドケース２１０を備えている。シールドケース２１０の一端側には３ピンタイプの出力コネクタ２２が装着され、この出力コネクタ２２に図示しないファントム電源の平衡シールドケーブルが接続される。
【００２１】
また、シールドケース２１０内には、トランスやローカットフィルタ回路それに増幅回路（いずれも図示しない）などを含む音声出力回路を有する回路基板２３が上記出力コネクタ２２と電気的に接続された状態で収納される。
【００２２】
回路基板２３は、出力コネクタ２２とは反対側の端部（反出力コネクタ側端部）にマイクコード３０が接続される端子部２３１を備えている。端子部２３１は図示しない引き回し配線を介して上記音声出力回路内の所定回路部分に連なるハンダ付けランド（接続電極）として形成されるが、本発明において、端子部２３１はシールドケース２１０の外側に配置される。
【００２３】
すなわち、シールドケース２１０の他端側（反出力コネクタ側）は端壁２１１によって閉じられるが、端壁２１１にはスリット孔２１２が穿設されていて、回路基板２３のうちの端子部２３１を含む一部分がスリット孔２１２を通してシールドケース２１０の外側に引き出される。
【００２４】
端壁２１１も導電性金属材からなり、シールドケース２１０の一部として一体に形成されることが好ましいが、別部材の蓋体としてシールドケース２１０の端部に取り付けてもよい。スリット孔２１２と回路基板２３の引出部分との隙間はシールドケース２１０内への電磁波の入り込みを防止するうえで、できるだけ狭いことが好ましい。
【００２５】
マイクコード３０には先に説明した従来例と同じく、電源をマイクロホンカプセル１０内のコンデンサマイクユニットに供給する電源線と、インピーダンス変換器から出力される音声信号を回路基板２３の音声出力回路に送信する信号線と、これら電源線および信号線を静電遮蔽し接地に落とされるシールド線とを含む２芯シールドケーブルが用いられてよい。
【００２６】
本発明において、マイクコード３０はシールドケース２１０の外側に配置されている回路基板２３の端子部２３１に例えばハンダ付けにより接続されるが、その接続部分を保護するため、シールドケース２１０の端壁２１１にはコードブッシュ２２０が取り付けられる。
【００２７】
コードブッシュ２２０の材質は導電性金属材もしくは電気絶縁性の例えばゴム弾性材のいずれであってもよいが、この例においてコードブッシュ２２０は頂部にコード挿通孔２２１を有する円錐状のスリーブとして形成され、そのスカート部２２２がシールドケース２１０の端壁２１１に対してネジ止めされる。
【００２８】
マイクコード３０を回路基板２３の端子部２３１に接続するには、マイクコード３０の端部をコードブッシュ２２０のコード挿通孔２２１に挿通し、その端部側にコード挿通孔２２１よりも大きな抜け止め用の結び目３１を形成したのち、端子部２３１にハンダ付けし、コードブッシュ２２０をシールドケース２１０の端壁２１１にネジ止めすればよい。なお、ハンダ付けに代えて例えばピンクリップを用いてマイクコード３０を端子部２３１に接続するようにしてもよい。
【００２９】
この構成によれば、例えば携帯電話機がマイクロホンの近傍で使用され、その強い電磁波がマイクコード３０に加えられたとしても、その電磁波はシールドケース２１０内に入り込まずシールドケース２１０の外表面を経て図示しない接地回路に流れ込むため雑音の発生が防止される。
【００３０】
以上、本発明を図１および図２により説明したが、本発明はこれに限定されるものではない。例えばファントム電源を使用しているが電源を電池に求めてもよい。音声出力部２０はパワーモジュールと呼ばれるものと同義である。シールドケース２１０にしても筒体（円筒体）ではなく箱体であってもよい。
【００３１】
また、端子部２３１をシールドケース２１０の外側に引き出すため回路基板２３の一部を端壁２１１のスリット孔２１２に挿通するようにしているが、例えば端子部２３１を端壁２１１の側面に沿って配置しシールドケース２１０内に挿通される適当な配線を介してその端子部２３１を回路基板２３に接続するようにしてもよい。
【図面の簡単な説明】
【００３２】
【図１】本発明のコンデンサマイクロホンに含まれるマイクロホンカプセルと音声出力部とをマイクコードで接続した状態を一部断面として示す全体構成図面。
【図２】上記音声出力部のみを示す断面図。
【図３】従来例を一部断面として示す全体構成図面。
【符号の説明】
【００３３】
１０  マイクロホンカプセル
２０  音声出力部
２１０  シールドケース
２１１  端壁
２１２  スリット孔
２２  出力コネクタ
２２０  コードブッシュ
２３  回路基板
３０  マイクコード
【図１】
2005323222.tif 000003
【図２】
2005323222.tif 000004
【図３】
2005323222.tif 000005